(57)【要約】【課題】球抜機構によって排出されずに整流器内に残留する遊技球を簡便に取り除く手段を備えるパチンコ機を提供する。【解決手段】整流器１５を発射装置１４の前方で軸支して、整流器１５を通常位置ｑから前方に回動可能とする。また、これとともに、遊技球ｘの残留する残球滞留部２７の直背面側に遊技球ｘを排出し得る残球排出口２８を形成し、さらに、発射装置１４に、整流器１５の通常位置ｑにおいて残球排出口２８を閉塞する排出口開閉片３０を配設する。かかる構成によれば、整流器１５を通常位置ｑから前方に回動すると、排出口開閉片３０と残球排出口２８が離間することにより残球排出口２８が開放されて、残球ｘ１がケース体５１外に排出される。【選択図】図２０
2007275494.tif 000002
【特許請求の範囲】
【請求項１】
遊技盤が取り付けられる内枠と、
発射球貯留皿を前面に備え、内枠の前面側に片開き可能に枢支される前扉と、
遊技球を打圧発射する発射鎚を備え、内枠の前面下部に配設される発射装置と、
発射装置の前方に配置されて発射球貯留皿から発射装置へ遊技球を順次送出する整流器と
を備えるパチンコ機において、
整流器は、発射球貯留皿から遊技球を取り入れる球取込口と、発射装置へ遊技球を送出する球送出口とを備えるケース体に、遊技球を一個ずつ球送出口に送出する球送部材を配設してなり、ケース体の一側部を軸支されて、発射装置の前方に位置して発射装置の打圧発射位置に球送出口を臨ませる通常位置から前方に回動可能なものであり、
ケース体には、遊技球の残留する残球滞留部の直背面側に、遊技球を排出し得る残球排出口が形成されており、
発射装置には、整流器の通常位置において残球排出口を閉塞する排出口開閉片が配設されており、
整流器が通常位置から前方回動した状態で残球排出口と排出口開閉片が離間して残球排出口が開放されることを特徴とするパチンコ機。
【請求項２】
排出口開閉片の前部に配設され、整流器の通常位置で残球排出口からケース体内部に挿入されてその先端部を残球滞留部の前方に位置させて、整流器の通常位置からの前方回動に伴って残球滞留部の遊技球を残球排出口からかき出す鉤状排出片を備えることを特徴とする請求項１記載のパチンコ機。
【請求項３】
鉤状排出片の先端部に、残球滞留部の上流側に延出する誤開放防止端が形成されるとともに、
ケース体の背面には、遊技球が通過不能で、且つ誤開放防止端が通過可能な形状をなす係止開口が残球滞留部の上流側に延成されており、
誤開放防止端は、整流器の通常位置で係止開口からケース体内部に挿入されて残球滞留部の上流側隣接部の前方に位置しており、残球滞留部の上流側隣接部位に遊技球がある場合には、該遊技球が誤開放防止端と係止開口の間で挟まれることによって整流器が前方回動不能となることを特徴とする請求項２記載のパチンコ機。
【発明の詳細な説明】
【技術分野】
【０００１】
本発明は、発射球貯留皿から発射装置へ遊技球を順次送出する整流器を備えるパチンコ機に関する。
【背景技術】
【０００２】
一般的なパチンコ機は、遊技島設備に固定される木製の外枠と、この外枠にヒンジ部材を介して開閉可能に取り付けられる前枠とを備えている。この前枠は、遊技盤が取り付けられる内枠を主体とする。内枠の前面側には、発射用の遊技球を貯留する発射球貯留皿を前面に備える前枠が片開き可能に取り付けられている。
【０００３】
こうしたパチンコ機にあって、内枠の前面下部に遊技球を打圧発射する発射鎚を備える発射装置を配設し、さらに、発射装置の前方に、発射球貯留皿から発射装置へ遊技球を順次送出する整流器を配設する構成が提案されている（例えば特許文献１）。かかるパチンコ機では、発射装置や整流器は前扉によって通常は前方から覆われており、発射装置や整流器のメンテナンスをする場合は、前扉を開放して発射装置や整流器を露出させる。また、かかる構成では、整流器が、発射装置の前方に位置する通常位置から前方回動可能に配設されており、発射装置のメンテナンスの際に整流器を前方回動させて発射装置の前面を露出させることによって作業を簡単に行い得るようになっている。
【０００４】
【特許文献１】特開２００５−１５２２４７号公報（第８，９頁  段落番号００６３〜００６８、第８図）
【発明の開示】
【発明が解決しようとする課題】
【０００５】
ところで、一般的なパチンコ機では、整流器は、球取込口や球送出口を備えるケース体に遊技球送出用の球送部材を配設した構成となっており、ケース体内部には送出前の遊技球がある程度貯留される。また、かかるパチンコ機では、発射用の遊技球を排出するための球抜機構が設けられており、機体前面に設けられた球抜操作部材を操作して球抜機構を作動させると、発射球貯留皿やケース体内部に貯留される遊技球が下方の余剰球貯留皿等に排出されるようになっている。
【０００６】
しかしながら、かかるパチンコ機の多くでは、球抜機構を作動させてもケース体内部の遊技球が完全には排出されず、球送部材の周辺などに遊技球が残留するようになっている。このようにケース体内部に残留する遊技球は、整流器のメンテナンスの際に作業の邪魔となるため取り除くことが望まれていたが、従来のパチンコ機にはかかる遊技球を簡便に排出する手段がなく、作業者は煩わしい思いをしながら作業を行わなくてはならなかった。
【０００７】
また、上記特許文献１のように整流器が通常位置から前方回動可能に配設される構成においても、ケース体内部に送出前の遊技球がある程度貯留された状態のまま、すなわち球抜機構の作動を忘れたままケース体内部に残留する遊技球を排出しようとすると、球抜機構によって排出されるべき遊技球がケース体外に排出されることとなり、不意を衝かれた作業者が、予想以上に排出されてくる遊技球を処理しようと狼狽して事故を起こしたり、排出される遊技球を処理しきれずにフロアに散乱させてしまったりする恐れがあった。
【０００８】
本発明は、かかる問題を解決し得るパチンコ機の提供を目的とする。
【課題を解決するための手段】
【０００９】
本発明は、遊技盤が取り付けられる内枠と、発射球貯留皿を前面に備え、内枠の前面側に片開き可能に枢支される前扉と、遊技球を打圧発射する発射鎚を備え、内枠の前面下部に配設される発射装置と、発射装置の前方に配置されて発射球貯留皿から発射装置へ遊技球を順次送出する整流器とを備えるパチンコ機において、整流器は、発射球貯留皿から遊技球を取り入れる球取込口と、発射装置へ遊技球を送出する球送出口とを備えるケース体に、遊技球を一個ずつ球送出口に送出する球送部材を配設してなり、ケース体の一側部を軸支されて、発射装置の前方に位置して発射装置の打圧発射位置に球送出口を臨ませる通常位置から前方に回動可能なものであり、ケース体には、遊技球の残留する残球滞留部の直背面側に、遊技球を排出し得る残球排出口が形成されており、発射装置には、整流器の通常位置において残球排出口を閉塞する排出口開閉片が配設されており、整流器が通常位置から前方回動した状態で残球排出口と排出口開閉片が離間して残球排出口が開放されることを特徴とするパチンコ機である。
【００１０】
ここで、本発明に係る「前扉」とは、内枠の前面側に枢支されるものであって、その前面側に少なくとも発射球貯留皿が配設されたものを指す。また、整流器の「上部」や「背面」とは、通常位置における整流器の「上部」や「背面」を指す。また、「残留する遊技球（以下、残球と略す。）」とは、球抜機構が作動しても排出されずにケース体内部に残留する遊技球を指し、「残球滞留部」とは当該残球がケース体の内部に残留する部分を指す。例えば、実施例では球送部材の直上位置が残球滞留部に該当する。
【００１１】
かかる構成にあっては、整流器が通常位置にある状態では残球排出口が排出口開閉片によって閉塞されることとなり、整流器を作動させればケース体内の遊技球が球送出口から発射装置に送出される。一方、整流器が通常位置から前方に回動した状態では、整流器が発射装置から離れることによって排出口開閉片と残球排出口が離間することとなり、残球排出口が開放される。したがって、本発明では、メンテナンスの際に作業者が整流器を通常位置から前方に回動操作すれば、残球排出口が開放してケース体から残球が排出されることとなる。
【００１２】
ここで、上記構成にあっては、排出口開閉片の前部に配設され、整流器の通常位置で残球排出口からケース体内部に挿入されてその先端部を残球滞留部の前方に位置させて、整流器の通常位置からの前方回動に伴って残球滞留部の遊技球を残球排出口からかき出す鉤状排出片を備える構成が提案される。かかる構成では、整流器を通常位置から前方回動すると、鉤状排出片が残球を残球排出口からかき出すように相対移動することとなり、これによって残球は遅滞無く、確実に残球排出口から排出されることとなる。
【００１３】
なお、鉤状排出片を備える上記構成以外にも、残球排出口が開放された時に残球を残球滞留部から残球排出口を介して流出させる手段は種々提案される。例えば、残球滞留部の底面に残球を残球排出口に案内する案内面を形成することが挙げられる。また、整流器を通常位置から前上方に回動可能として、整流器を前上方に回動させた際に、整流器の傾きによって残球を背面側の残球排出口へ流下させることも提案される。
【００１４】
また、上記のように鉤状排出片を備える構成にあっては、鉤状排出片の先端部に、残球滞留部の上流側に延出する誤開放防止端が形成されるとともに、ケース体の背面には、遊技球が通過不能で、且つ誤開放防止端が通過可能な形状をなす係止開口が残球滞留部の上流側に延成されており、誤開放防止端は、整流器の通常位置で係止開口からケース体内部に挿入されて残球滞留部の上流側隣接部の前方に位置しており、残球滞留部の上流側隣接部位に遊技球がある場合には、該遊技球が誤開放防止端と係止開口の間で挟まれることによって整流器が前方回動不能となる構成が提案される。
【００１５】
ここで、「残球滞留部の上流側隣接部」とは、残球滞留部と隣接する部分であって、球取込口側から残球滞留部へ遊技球が流下し得る部分を指す。この上流側隣接部は残球滞留部ではなく、該上流側隣接部にある遊技球は球抜機構によって排出され得るものである。
【００１６】
かかる構成にあっては、残球滞留部より上流側に遊技球があると、整流器を前方回動させようとした時に、上流側隣接部の遊技球が誤開放防止端と係止開口との間で前後に挟み込まれて整流器が通常位置に係止されることとなる。したがって、かかる構成では、ケース体に残球以外の遊技球が存在する状態では残球排出口を開放することができず、残球以外の遊技球が残球排出口から排出されることがない。このため、本構成によれば、作業者が予想以上に排出されてくる遊技球を処理しようと狼狽するため事故を起こしたり、適切な処置ができないまま複数の遊技球をフロアに散乱させてしまったりする、という問題を回避することができる。
【発明の効果】
【００１７】
以上に述べたように、本発明は、ケース体の、残球滞留部の直背面側に遊技球を排出し得る残球排出口を配設するとともに、整流器の通常位置において残球排出口を閉塞する排出口開閉片を配設し、整流器が通常位置から前方回動した状態で排出口開閉片と残球排出口とが離間して残球排出口が開放されるようにしたパチンコ機であるから、整流器のメンテナンスを行う際に、作業者は整流器を前方に僅かに回動させるだけでケース体内の残球を簡単に取り除くことができる。すなわち、メンテナンスに先立って、残球を取り除くための特別な作業を必要とせず、作業者は整流器を回動させるだけで速やかにメンテナンスを開始できる。このため作業者は、ケース体内の残球に煩わされることなく作業を行うことができる。
【００１８】
また、上述のように、通常位置から前方に回動可能な整流器は既知のものであり、本発明は、かかる整流器の前方回動を利用することによって、発射装置に固定的に設けた排出口開閉片により残球排出口を開閉可能とするものである。このため、本発明によれば、別途可動部材を配設することなく単純な構成によって残球を排出できるという利点がある。
【００１９】
また、上記構成にあって、排出口開閉片の前部に、整流器の通常位置で残球排出口からケース体内部に挿入されてその先端部を残球滞留部の前方に位置させて、整流器の通常位置からの前方回動に伴って残球滞留部の遊技球を残球排出口からかき出す鉤状排出片を配設した場合には、残球排出口が開放された時に、残球を確実かつ速やかに排出することができる。
【００２０】
また、鉤状排出片の先端部に誤開放防止端を延成するとともに、ケース体の背面に係止開口を延成し、残球滞留部の上流側隣接部位に遊技球がある場合には、該遊技球を誤開放防止端と係止開口の間で挟み込むことによって整流器が前方回動不能となるようにした場合には、残球以外の遊技球がケース体に残っている状態では残球排出口を開放不能となるため、作業者の不用意な操作によって残球以外の遊技球が残球排出口から排出されるのを防止でき、作業者が、予想以上に排出されてくる遊技球に驚いて事故を起こしたり、かかる遊技球を処理しきれずにフロアに散乱させてしまったりする事態を防ぐことができる。
【発明を実施するための最良の形態】
【００２１】
本発明の実施形態を、以下の実施例に従って説明する。
【００２２】
図１〜３は、本発明に係るパチンコ機１の斜視図及び正面図である。このパチンコ機１は、遊技島設備に固定される木製の外枠２と、該外枠２にヒンジ部材３を介して開閉可能に取り付けられる前枠４とからなる。
【００２３】
前枠４は、遊技盤９が固定され、ヒンジ部材３を介して外枠２に直接枢支される矩形の内枠５と、発射用の遊技球を貯留する発射球貯留皿１０を前面に備え、該内枠５の前面に開閉可能に取り付けられる前扉６と、内枠５の背面側に開閉可能に取り付けられる裏機構板７等により構成される。
【００２４】
前記内枠５は、アルミダイキャスト製の枠体からなる。この内枠５には上部から中央部にかけて矩形の開口部が形成されており、該開口部に合板製の遊技盤９が取り付けられる。図１〜３に示すように、遊技盤９の前面側は前扉６によって覆われており、前方からは中央部のみが視認可能となっている。遊技盤９の前面には樹脂製のガイドレール１３が取り付けられており、該ガイドレール１３によって楕円形の遊技領域１２と、発射された遊技球を遊技領域１２に案内する案内通路２０が区画されている。遊技領域１２内には遊技釘や入賞装置、液晶装置等の遊技部品が配設される。
【００２５】
図２，３に示すように、内枠５の前面の、遊技盤９下方位置には発射装置１４が設けられている。この発射装置１４は、金属製の発射機構板１６に、遊技球を打圧発射する発射鎚１７や該発射鎚１７を駆動する発射用ソレノイド１９等を配設してなるものである（図８参照）。また、発射装置１４の前面側には、発射球貯留皿１０から流入する遊技球を発射装置１４に順次送出する整流器１５が配設される（図８参照）。発射装置１４や整流器１５は、図１〜３に示すように、通常は前扉６によって前方から覆われており、前扉６を開放することによって露出させることができる。発射装置１４と整流器１５の構成は後述する。
【００２６】
図１に示すように、内枠５の、整流器１５の下方位置には、内枠５の幅方向に亘る樹脂製の余剰球貯留皿パネル２３が前面側に設けられており、この余剰球貯留皿パネル２３の前面中央に余剰の遊技球を貯留する余剰球貯留皿１１が配設される。余剰球貯留皿パネル２３の、余剰球貯留皿１１を臨む位置には球放出口２４が開口しており、該球放出口２４から余剰球貯留皿１１に遊技球が流入する。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００２７】
また、余剰球貯留皿１１の右方には発射ハンドル２１が突設される。発射ハンドル２１の外周部には回動操作可能な発射レバー２２が設けられており、発射ハンドル２１の内部には、発射レバー２２の回動角度を検知する回動角度検知センサ（図示省略）が配設される。回動角度検知センサは発射装置１４や整流器１５の作動を制御する発射制御基板（図示省略）に接続される。
【００２８】
裏機構板７は、内枠５の背面側に取り付けられた樹脂製枠体であり、図１に示すように、その上部には、遊技島設備から供給される遊技球を貯留する球タンク３５が設けられており、球タンク３５の下方位置には、球タンク３５の遊技球を発射球貯留皿１０に払い出すための払出装置や球通路が配設される（図示省略）。また、裏機構板７の背面側には、遊技全般を制御する主制御基板や、前記発射制御基板等の基板が取り付けられている（図示省略）。
【００２９】
前扉６は、図２，４に示すように、矩形状の樹脂製枠体からなるものであり、その左側縁に固定されたヒンジ部材４０によって内枠５の前面側に片開き可能に枢着される。前扉６の中央部には、樹脂製の透明板３３を保持する楕円形の視認用開口部３４が形成されており、該視認用開口部３４を介して遊技盤９の遊技領域１２を前方から視認可能となっている。
【００３０】
また、図４，５に示すように、前扉６の下部前面側には樹脂製の発射球貯留皿１０が一体的に配設される。前扉６の、発射球貯留皿１０内部を臨む左側位置には、発射球貯留皿１０へ遊技球を供給するための球供給口３６が開口している。発射球貯留皿１０の内部は、前後幅の広い左側の貯留部３７と前後幅の狭い右側の整列部３８とからなり、発射球貯留皿１０の内底面は貯留部３７から整列部３８へ遊技球を流下させるように傾斜している。また、整列部３８の右端には、前扉６の厚み方向に貫通し、整列部３８から前扉６の背面側に遊技球を流出させる短尺な球流出路３９が形成される（図２，６参照）。また、発射球貯留皿１０の右上縁部には、球抜機構を作動させるための球抜操作部材４２が配設される。
【００３１】
図２，６に示すように、前扉６の背面側には、視認用開口部３４の下方部位に補強用の金属製パネル板４１が固定される。前記球流出路３９はこのパネル板４１にも貫設される。球流出路３９は、図７に示すように、前扉６の閉止状態で前記整流器１５の正面に位置しており、球流出路３９を通って発射球貯留皿１０から流出する遊技球は整流器１５へ流入することとなる。また、パネル板４１の前面側には、球抜機構を構成する球抜作動片４３や、球流出路３９を開閉する可動球止部材４４等が配設される。球抜機構については後述する。
【００３２】
次に、発射装置１４について説明する。
上述のように発射装置１４は、金属製板片からなる発射機構板１６に遊技球発射用の各種部材を組み付けてユニット化したものである。この発射機構板１６は、図２，７，８に示すように、内枠５前面の、遊技盤９の下方で且つ余剰球貯留皿１１の上方位置にビス止めされる。図８に示すように、発射機構板１６の右側背面には、ロータリーソレノイドからなる発射用ソレノイド１９が固定される。この発射用ソレノイド１９の回転軸杆は、発射機構板１６を貫通して前面側に突出しており、該回転軸杆の先端に発射鎚１７が固定される。また、発射用ソレノイド１９は前記発射制御基板と電気的に接続されており、発射制御基板は発射用ソレノイド１９の通電状態を切り替えることにより発射鎚１７を往復駆動し、発射鎚１７の先端によって遊技球を打圧発射する。打圧発射位置ｐの上方には、遊技球ｘを打圧発射位置ｐに保持するゴム製の球保持部材４８が設けられ、発射機構板１６前面の右上部分には、発射鎚１７の回動を規制するストッパ４７が設けられる。また、球保持部材４８の左方には、本発明に係る残球排出部材２９が配設される。この残球排出部材２９については後述する。さらに、発射機構板１６前面左縁部には、整流器１５を軸支するためのヒンジ部材４９が螺着される。また、発射機構板１６の右側部には、整流器１５の係合部材６６を係合させるための係合孔部７１が形成される。
【００３３】
次に整流器１５について説明する。
整流器１５は、透明樹脂からなる箱型のケース体５１を主体とする。図７〜１１に示すように、このケース体５１の前面中央には、発射球貯留皿１０から遊技球ｘを取り入れる矩形の球取込口５４が形成され、ケース体５１の背面下部には、発射装置１４へ遊技球ｘを送出する球送出口５５が形成される。また、ケース体５１には、遊技球を一個ずつ送り出す電動式の球送り機構が配設されており、該球送り機構の作動によって、後述する球送部材５８が駆動して球取込口５４からケース体５１内に流入した遊技球が球送出口５５からケース体５１外へ一個ずつ排出される。
【００３４】
図８，９に示すように、ケース体５１の左側部には、発射機構板１６前面のヒンジ部材４９と中心軸５０を介して連結するヒンジ部材５２が配設されており、これによって、整流器１５は、発射装置１４の前面を覆う位置から左前方に回動可能となっている。ここで、整流器１５は、発射装置１４の前面を覆う回動位置を通常位置ｑとするよう設定されている。すなわち、図７，１０（ａ）に示すように、かかる通常位置ｑでは、発射装置１４の打圧発射位置ｐを直前方から球送出口５５が臨むことによって、球送出口５５から排出される遊技球ｘが打圧発射位置ｐに送出される。また、図７に示すように、通常位置ｑでは、球取込口５４が前記球流出路３９と接続することによって、発射球貯留皿１０から流出する遊技球ｘが球取込口５４に流入することとなる。
【００３５】
また、図８，１０（ｂ）に示すように、ケース体５１の背面側には金属製の発射レール１８が所定角度で左上がりに固定される。この発射レール１８は、整流器１５の通常位置ｑで発射機構板１６の前面に当接して、その右端部の直上位置が打圧発射位置ｐとなるように、また、その左上方に前記案内通路２０の入口を臨むように設置されており、打圧発射された遊技球ｘが、発射レール１８の上面で案内されて案内通路２０に飛入するようになっている。
【００３６】
ケース体５１の右側部には、図８に示すように、先端に逆鉤が形成された係合部材６６が背面側に突設されており、該係合部材６６を発射機構板１６の係合孔部７１と係合することによって整流器１５は通常位置ｑに係止される。係合部材６６と係合孔部７１の係合は、前扉６を開放した状態において係合部材６６の先端を左方に押圧操作することにより解除可能であり、係合解除状態においては、図９，１０に示すように、整流器１５が左前方に回動可能となり、整流器１５を発射装置１４の左前方に退避させることによって発射装置１４の前面を露出させることができる。
【００３７】
ケース体５１の前面には、図１１に示すように、球取込口５４の外縁部に前後方向の短尺な連絡樋６４が固着される。この連絡樋６４は、図７に示すように、前扉６の閉止状態で前記球流出路３９と連通し、発射球貯留皿１０から流出する遊技球ｘを球取込口５４へ案内する。また、図１１に示すように、ケース体５１前面側には、球取込口５４の下方位置に横長溝状の突部通過開口６５が形成されており、ケース体５１に内蔵された球抜口開閉片７０の受圧用突部７４が突部通過開口６５を貫通して前方に突出している。また、球取込口５４の右方には可動球止部材４４（図６参照）を上方に押し上げる三角板状の押圧保持部材６７が配設されており、連絡樋６４の左方には、連絡樋６４と前記球流出路３９との位置決めに用いる円錐状の位置決め突起６８が配設される。さらに、位置決め突起６８の直下位置には、球抜口開閉片７０に形成される案内用突部７６を内嵌させて球抜口開閉片７０を左右に移動可能とする横長溝状の案内溝５３が貫設される（図１４参照）。また、球取込口５４の右下方には、その上部に前記残球排出部材２９の前壁部を収容し、且つその下部で後述の球送部材５８を傾動可能とする逆Ｌ字状開口部９２が形成されている。
【００３８】
ケース体５１の内部には、図１２に示すように、前記球取込口５４と球送出口５５とを連通させる球供給通路５６が形成されており、球取込口５４から流入した遊技球ｘは球送出口５５へと案内される。ここで、球供給通路５６の球送出口５５直前部分には、球供給通路５６を閉塞するように球送部材５８が配設されており、球供給通路５６内の遊技球ｘは、該球送部材５８によって球送出口５５への流出を規制される。
【００３９】
ケース体５１に配設される電動式の球送り機構は、図１２に示すように、傾動可能な前記球送部材５８と、該球送部材５８を駆動させる球送用ソレノイド５９と、球送用ソレノイド５９の可動部７５と球送部材５８とを連繋するリンク部材５７とで構成される。図１２，１３に示すように、球送部材５８は、遊技球一個を収容可能な収容凹部６０を有するとともに、ケース体５１の下部に軸支されて、収容凹部６０を球送出口５５側に向ける第一位置（図１２（ａ），１３（ａ）参照）と、収容凹部６０を球供給通路５６の上流側に向ける第二位置（図１２（ｂ），１３（ｂ）参照）とに傾動可能となっており、球送用ソレノイド５９の通電状態に応じていずれかの位置に保持されるようになっている。球送用ソレノイド５９は前記発射制御基板と電気的に接続されており、発射制御基板が球送用ソレノイド５９の通電状態を切り替えて球送部材５８を傾動させると、遊技球ｘが球送出口５５に送出される。
【００４０】
具体的には、球送用ソレノイド５９の非通電状態で、球送部材５８は第一位置に保持されており、球供給通路５６の遊技球ｘは球送部材５８の上端部によって球送出口５５への流出不能に阻止される（図１２（ａ），１３（ａ）参照）。一方、球送用ソレノイド５９が通電状態となって球送部材５８が第二位置に変換すると、球供給通路５６の遊技球ｘが収容凹部６０に一個収容される（図１２（ｂ），１３（ｂ）参照）。そして、球送用ソレノイド５９が非通電状態に切り換わると、球送部材５８が第一位置に復帰して、収容凹部６０に収容された遊技球ｘが球送出口５５から打圧発射位置ｐに送出され、球供給通路５６の残りの遊技球ｘは球送部材５８の上端部によって流出不能に阻止される（図１３（ｃ）参照）。発射制御基板は、発射レバー２２が回動操作されると、発射レバー２２の回動角度情報に基づいて球送用ソレノイド５９と発射用ソレノイド１９を協調的に作動させて、遊技球ｘの打圧発射に合わせて打圧発射位置ｐに遊技球ｘを供給する。
【００４１】
次に、発射用の遊技球を余剰球貯留皿に排出するための球抜機構について説明する。
本実施例に係る球抜機構は、ケース体５１の内部から余剰球貯留皿１１へ遊技球を流下させる通路と、球抜操作部材４２の操作に応じて該通路の入口（球抜口６１）を開閉する開閉機構とからなる。
【００４２】
図１２に示すように、ケース体５１内部の球供給通路５６は、球取込口５４から直下に進んだ後、右方に折れ曲がり、さらに直下方に折れ曲がった後で球送出口５５と連通している。遊技球排出用の球抜口６１は、この球供給通路５６の右方に折れ曲がる部分の底面に開口している。ケース体５１の内部には、球抜口６１からケース体５１の背面左隅に形成された球抜用連通口６３へ遊技球ｘを流下させる球抜通路６２が形成される。また、図１９に示すように、内枠５には、球抜用連通口６３から余剰球貯留皿１１へ遊技球ｘを流下させる排出球誘導路４５が設けられている。かかる構成によって、球抜口６１に流入した遊技球ｘが余剰球貯留皿１１に排出される。
【００４３】
球抜口６１を開閉する開閉機構は、球抜口６１を閉塞する閉鎖位置αと開放する球抜位置βとに移動可能となるようにケース体５１内部に配設されて、閉鎖位置αに付勢される球抜口開閉片７０（図１５参照）と、前扉６に移動可能に配設されて、球抜操作部材４２の操作に連動して球抜口開閉片７０を押圧し、球抜口開閉片７０を球抜位置βとする球抜作動片４３と、球抜操作部材４２と球抜作動片４３を連繋する連繋部材８０等（図１６参照）によって構成される。
【００４４】
球抜口開閉片７０は、図１１，１４，１５に示すように、球抜口６１を遮蔽する板状の遮蔽部７３を備える樹脂片であり、前方に突出する受圧用突部７４と案内用突部７６を、ケース体５１前面の突部通過開口６５と案内溝５３に夫々嵌合させることによって、ケース体５１の内部で球抜口６１を閉塞する閉鎖位置αと、開放する球抜位置βとに移動可能に保持される。また、図１４，１５に示すように、球抜口開閉片７０は、左方に突設されたコイルバネ装着部８８に取り付けられたコイルバネ６９によって通常は右側の閉鎖位置αに付勢保持されており、コイルバネ６９の付勢力に抗して受圧用突部７４を左方に押圧されることによって球抜位置βに変位する。
【００４５】
球抜作動片４３は、図１４，１６に示すように、樹脂製板片からなるものであり、前扉６内で左右に摺動可能に保持される摺動板部７７と、前記受圧用突部７４を押圧する押圧用凹部８３を左端に備え、該摺動板部７７の左方に突出する押圧腕部７８とからなる。この球抜作動片４３は、図６，１６に示すように、摺動板部７７をパネル板４１の前面側で摺動可能に保持されるとともに、パネル板４１の開口部９０から押圧腕部７８を露出させている。これにより、球抜作動片４３は、摺動板部７７の摺動に伴って、押圧用凹部８３が球抜口開閉片７０を押圧して球抜位置βとする作動位置ζと、押圧用凹部８３が球抜口開閉片７０を押圧しない定常位置εとに移動可能となっている（図１６参照）。また、図１４に示すように、摺動板部７７の前面側には、連繋部材８０と連結するための連結軸７９が形成される。
【００４６】
図１６，１７は、前扉６に配設された球抜作動片４３や球抜操作部材４２の配置および連繋態様を背面側から示したものである。球抜操作部材４２は、図１６に示すように、ボタン型の樹脂片であり、図中右下部を軸支されて、発射球貯留皿１０の右上方に露出する上端部を押圧されると下方傾動するようになっている。また、図１６に示すように、前扉６のパネル板４１（図６参照）の前面側には、金属板からなる取付機構板４６が配設される。この該取付機構板４６の板面には、連繋部材８０や可動球止部材４４等が取り付けられている。連繋部材８０は、図１６に示すように、長三角形状の樹脂製板片からなるものであり、球抜操作部材４２の直下位置において、短尺辺を上方に向けた姿勢で図中右上角部を軸支されて、その下端部を取付機構板４６に沿って左右に傾動するように保持される。連繋部材８０の図中左側部にはコイルバネ８２の一端が連結される。連繋部材８０は、かかるコイルバネ８２によって図中左方に付勢されて、その短尺片を球抜操作部材４２の下底面に当接させている。かかる構成によれば、球抜操作部材４２がコイルバネ８２の付勢力に抗して押し下げられると、図１６（ｂ）に示すように、連繋部材８０の下端部が図中右方向に傾動し、球抜操作部材４２の押下げが解除されると、コイルバネ８２の付勢力にしたがって連繋部材８０の下端部が図中左方に復帰して、押し下げられた球抜操作部材４２は連繋部材８０によって上方に押し上げられることとなる。
【００４７】
連繋部材８０の下端部には前後方向の連結孔部８１が形成されており、連繋部材８０は、該連結孔部８１を球抜作動片４３の連結軸７９に外嵌させることによって、球抜作動片４３と連繋している。球抜作動片４３は、図１６（ａ）に示すように、球抜操作部材４２の非操作状態において定常位置εに位置しており、図１６（ｂ）に示すように、球抜操作部材４２が押し下げられると、連繋部材８０の傾動に従動して作動位置ζへと変位することとなる。
【００４８】
可動球止部材４４は、横長樹脂片からなるものであり、図１７に示すように、球流出路３９の上方で取付機構板４６に図中右端部を軸支されて、左端を水平方向に向けて中央下部に形成される球止舌部８４によって球流出路３９を後方から閉塞する球止位置γと、図中左端を上方寄りに向けて球止舌部８４を球流出路３９の上方に退避させる開放位置δとに変位可能となっている。図１７に示すように、可動球止部材４４は、左側部に取り付けられたコイルバネ８５によって開放位置δに付勢されている。また、可動球止部材４４の図中左端部には、整流器１５の押圧保持部材６７と当接する受圧部８６が図中左方に突成される。図１７（ａ）に示すように、前扉６の閉止状態では可動球止部材４４は受圧部８６を押圧保持部材６７によって押し上げられることにより開放位置δに保持される。また、可動球止部材４４の右端下部には球抜作動片４３を規制するストッパ部８７が下方に突成される。可動球止部材４４は、図１７（ｂ）に示すように、前扉６の開放状態では、球止位置γにおいて、定常位置εにある球抜作動片４３の直右脇にストッパ部８７を位置させることにより、球抜作動片４３の作動位置ζ方向（図中右方）への移動を阻止する働きをする。
【００４９】
次に、球抜機構による遊技球の排出態様について具体的に説明する。
前扉６の閉止状態では、図１８（ａ）に示すように、球抜作動片４３の押圧用凹部８３が球抜口開閉片７０の受圧用突部７４の右脇に位置している。上述のように、球抜操作部材４２の非操作時は球抜作動片４３が定常位置εに保持されており、図１５（ａ）に示すように、球抜口開閉片７０はコイルバネ６９によって閉鎖位置αに付勢保持される。このため、かかる状態で発射レバー２２が回動操作されると、整流器１５の球送り機構によって遊技球が一個ずつ打圧発射位置ｐに送出されて遊技領域１２へ打圧発射される。
【００５０】
また、前扉６の閉止状態で球抜操作部材４２が押し下げ操作されると、図１５（ｂ），１７（ｂ）に示すように、球抜作動片４３が左方の作動位置ζへと変位し、球抜口開閉片７０が球抜位置βへと押圧されて球抜口６１が開放される。これにより、ケース体５１内の遊技球ｘは球抜口６１から球抜通路６２へ流出し、図１９に示すように、球放出口２４から余剰球貯留皿１１に排出される。また、かかる状態では球流出路３９が開放されているため、発射球貯留皿１０の遊技球ｘが順次整流器１５に流入して余剰球貯留皿１１へ排出されることとなる。ここで、図１５（ｂ）に示すように、球供給通路５６の、球送部材５８の直上位置にある遊技球ｘ１は、球抜口６１が開放されても球抜口６１には流入せず、球送部材５８の上に留まることとなる。すなわち、このように球抜機構が作動してもケース体５１から排出されない遊技球ｘ１が残球であり、本実施例にあっては、球供給通路５６内で残球ｘ１が留まる球送部材５８の直上位置が本発明に係る残球滞留部２７に該当する。
【００５１】
球抜操作部材４２の操作が停止すると連繋部材８０に結合したコイルバネ８２の付勢力によって球抜作動片４３が定常位置εに復帰するとともに、球抜口開閉片７０が閉鎖位置αに復帰して球抜口６１が閉塞状態となる。
【００５２】
次に、前扉６の開閉に伴う作動を説明する。
閉止状態の前扉６を開放すると、図２，１８（ｃ）に示すように、整流器１５の前面が露出して、整流器１５を前上方に回動可能となる。また、球抜作動片４３と球抜口開閉片７０とが離間して、球抜口開閉片７０は、受圧用突部７４を直接操作されない限り閉鎖位置αに付勢保持される。また、図１７に示すように、押圧保持部材６７によって開放位置δに押し上げられていた可動球止部材４４は、押圧保持部材６７の離間に伴い球止位置γに傾動し、球流出路３９を閉塞する。これにより、前扉６の開放状態において発射球貯留皿１０からの遊技球の流出が阻止される。また、図１７（ｂ）に示すように、可動球止部材４４は、球抜作動片４３の作動位置ζへの変位を阻止する。このため、前扉６の開放状態では、球抜操作部材４２を押下げ操作しても球抜作動片４３は定常位置εに押し留められる。
【００５３】
開放状態の前扉６を閉止すると、図１８（ａ）に示すように、球抜口開閉片７０と球抜作動片４３とが接近して、球抜作動片４３によって球抜口開閉片７０を押圧可能となる。上述のように、前扉６の開放状態において球抜作動片４３は定常位置εに保持されるため、前扉６が閉止する際に受圧用突部７４と押圧用凹部８３が衝突することはない。また、可動球止部材４４が押圧保持部材６７によって開放位置δに押し上げられ、球流出路３９が開放される。
【００５４】
以下に、本発明の要部に係る、ケース体５１の残球ｘ１を排出するための機構について説明する。
残球を排出するための機構は、残球ｘ１をケース体５１外に排出するための残球排出口２８と、整流器１５の回動に応じて該残球排出口２８を開閉し、且つ残球ｘ１を残球排出口２８にかき出す残球排出部材２９とにより構成される。
【００５５】
残球排出口２８は、図１０（ｂ）に示すように、ケース体５１背面の、球送出口５５の上方位置に球送出口５５と連続するように形成される。また、残球排出口２８の図中右上部からは、残球滞留部２７から球供給通路５６の上流側、すなわち、図中右方にむけて横長形状の係止開口８９が延成されている。残球排出口２８は、図２０，２１に示すように、残球滞留部２７の直背面側に位置しており、残球滞留部２７から残球ｘ１をケース体５１の背面側に通過させ得る大きさの矩形状をなしている。また、係止開口８９は、図２１に示すように、残球滞留部２７の上流側隣接部９１の直背面側に、すなわち、残球ｘ１に球取込口５４側から隣接する遊技球ｘ２がある部分の直背面側に開口している。この係止開口８９は、上流側隣接部９１の遊技球ｘ２が通過不能で、且つ後述の誤開放防止端３２が通過し得る縦幅をなしている。
【００５６】
残球排出部材２９は、屈曲加工された一枚の金属板片よりなるものであり、図２２に示すように、二箇所の螺子孔を有し発射機構板１６に螺着される取付部７２と、該取付部７２から前方に延設されて、整流器１５の回動に伴い残球排出口２８を開閉する排出口開閉片３０と、該排出口開閉片３０の前部から前方に延設されて整流器１５の前方回動に伴い残球ｘ１をかき出す鉤状排出片３１と、該鉤状排出片３１の先端部に延成される誤開放防止端３２とにより構成される。
【００５７】
排出口開閉片３０は、図２２に示すように、取付部７２の右下縁部から前方に延出する水平壁部と、該水平壁部の前端から下方に延出する矩形状の前壁部とからなるＬ字状片である。整流器１５が通常位置ｑにある状態では、図１５，２０（ａ）に示すように、排出口開閉片３０の前壁部が残球排出口２８に嵌り込むことによって残球排出口２８が閉塞される。一方、整流器１５が通常位置ｑから前方回動した状態では、図２０（ｂ），２１（ｃ），２３（ｃ）に示すように、排出口開閉片３０の前壁部と残球排出口２８が離間することによって残球排出口２８が開放される。
【００５８】
鉤状排出片３１は、図２２に示すように、排出口開閉片３０の前壁部の右縁から前方に延出する側壁部と、該側壁部の前縁から左方に延出して、排出口開閉片３０の前壁部と平行状に配置される矩形状の前壁部とからなるＬ字状片である。整流器１５が通常位置ｑにある状態では、図２０（ａ），２１（ａ），２３（ａ）に示すように、鉤状排出片３１は残球排出口２８からケース体５１の内部に挿入されることとなり、その側壁部が残球滞留部２７の右方に位置し、また、その前壁部がケース体５１前面の逆Ｌ字状開口部９２の上部に収容されて残球滞留部２７の直前方に位置している。一方、整流器１５が通常位置ｑから前方回動すると、図２０（ｂ），２１（ｃ），２３（ｃ）に示すように、鉤状排出片３１の前壁部が残球滞留部２７を後方に横断するように相対移動して、鉤状排出片３１が残球排出口２８から抜き出される。
【００５９】
誤開放防止端３２は、図２２に示すように、鉤状排出片３１の前壁部の左上端部から左方、すなわち、残球滞留部２７の上流側に向かって延成される横長板片である。この誤開放防止端３２は、遊技球ｘ２よりも縦幅が狭く、上記係止開口８９を通過し得る形状に設定されている。整流器１５が通常位置ｑにある状態では、図２１（ａ），２３（ａ）に示すように、誤開放防止端３２は、係止開口８９からケース体５１の内部に挿入されて、ケース体５１前面の逆Ｌ字状開口部９２の左上部に収容され、残球滞留部２７の上流側隣接部９１の直前方に位置している。一方、整流器１５が通常位置ｑから前方回動すると、図２１（ｃ），２３（ｃ）に示すように、鉤状排出片３１は、上流側隣接部９１を後方に横断するように相対移動して係止開口８９から抜き出される。
【００６０】
次に、残球ｘ１の排出態様を説明する。
整流器１５の通常位置ｑでは、図２０（ａ），２１（ａ），２３（ａ）に示すように、残球排出口２８は排出口開閉片３０によって閉塞されており、また、残球滞留部２７の前方は鉤状排出片３１によって閉塞されている。このため、かかる状態では、球送り機構が作動すればケース体５１内の遊技球が球送出口５５へ送り出され、球抜機構が作動すればケース体５１内の遊技球が球抜口６１から排出される。
【００６１】
ケース体５１から残球ｘ１を排出する場合には、整流器１５を通常位置ｑから前方に回動操作する。ここで、本実施例の整流器１５は、残球滞留部２７よりも上流側に遊技球がある状態では、通常位置ｑから前方回動できないようになっている。すなわち、かかる状態では、図２１（ａ），２３（ａ）に示すように、誤開放防止端３２と係止開口８９の間の上流側隣接部９１に遊技球ｘ２があり、かかる状態で整流器１５を前方に回動させようとすると、上流側隣接部９１の遊技球ｘ２が誤開放防止端３２と係止開口８９の間に挟み込まれ、これにより整流器１５が前方回動不能に係止されるのである。したがって、本実施例では、球抜機構の作動等によって、図２１（ｂ），２３（ｂ）に示すように、残球ｘ１以外の遊技球をケース体５１外に排出してからでなければ、ケース体５１から残球ｘ１を排出できない。
【００６２】
上記のように、ケース体５１内に残球ｘ１のみが存在する状態にして、かかる状態で整流器１５を通常位置ｑから前方に回動操作するとケース体５１から残球ｘ１が排出される。すなわち、通常位置ｑから整流器１５を前方に回動していくと、図２０（ｂ），２３（ｃ）に示すように、排出口開閉片３０が残球排出口２８の後方に相対移動して残球排出口２８が開放され、また、これとともに、鉤状排出片３１が残球滞留部２７から残球ｘ１を後方にかき出すように相対移動し、これにより、残球ｘ１が残球排出口２８からケース体５１外に排出されることとなる。なお、残球排出口２８から排出された残球ｘ１は、図２０（ｂ）に示すように、発射レール１８上に落下した後、図示しない球通路を介して余剰球貯留皿１１に排出されるようになっている。本実施例の発射レール１８は、整流器１５のケース体５１の背面に配設されており、整流器１５が回動することにより、排出された残球ｘ１を発射レール１８上に滞留させる球保持部材４８から退避する。このため、作業者は余剰球貯留皿１１への排出に際して新たな作業を必要としない。
【００６３】
このように、本実施例のパチンコ機１にあっては、整流器１５のメンテナンスを行う際には、整流器１５を前方回動させるだけで残球排出口２８から残球を排出することができる。したがって、作業者は、かかる回動操作によって残球を排出し、残球に煩わされることなくメンテナンス作業を行うことができる。特に、本実施例では、整流器１５を僅かな角度（１０°未満）前方回動させるだけでケース体５１から残球ｘ１が排出されるため、残球ｘ１を極めて簡単に、かつ速やかに排出できる。
【００６４】
また、本実施例では、整流器１５の前方回動によって残球排出口２８を開放するのと同時に、鉤状排出片３１によって残球をかき出すようにしているため、残球排出口２８の開放と同時に残球ｘ１を確実に排出できる。
【００６５】
また、本実施例では、球抜機構によって排出可能な遊技球がケース体５１の内部に存在する場合には、上流側隣接部９１の遊技球ｘ２を誤開放防止端３２と係止開口８９の間に挟み込むことによって整流器１５を前方回動不能に係止し、残球排出口２８の開放を阻止している。このため、残球以外の遊技球が残球排出口２８から排出されると多数の遊技球が床面等に散乱する恐れがあるが、本実施例では、球抜機構等によって残球以外の遊技球を排出してからでなければ残球排出口２８を開放できないため、かかる事態を防止することができる。
【００６６】
また、本実施例に係る残球の排出機構は、前方回動可能な既知の整流器に対して、ケース体の背面に残球排出口２８を形成し、且つ、発射機構板１６に金属板片からなる残球排出部材２９を取り付けるだけで実現できる。したがって、本実施例の残球の排出機構は単純な構成によって低廉に実現できるという利点がある。
【００６７】
尚、本発明のパチンコ機は、上述した実施の形態に限定されるものではなく、本発明の要旨を逸脱しない範囲内において種々変更を加え得ることは勿論である。例えば、上記実施例では、整流器が発射機構板に軸支されていたが、整流器は内枠に直接軸支してもよい。また、実施例では、残球を排出する際に、鉤状排出片によって残球をかき出すようにしていたが、鉤状排出片を配設する替わりに、残球滞留部から残球排出口へ残球を案内する案内面（例えば傾斜面）を設けてもよい。また、整流器は、左前方に回動する構成に限らず、前上方や前下方に回動するようにしてもよい。特に、整流器を前上方に回動するようにした構成では、整流器を前上方に回動させた時の傾斜変化を利用して残球を残球排出口に案内できるという利点がある。また、実施例では、ケース体内部に発生する残球が一個だけであったが、本発明は残球が二個以上発生する構成にも同様にして適用できる。また、実施例では視認用開口部が前扉に設けられているが、視認用開口部は発射球貯留皿を備える前扉とは別部材によって構成してもかまわない。また、実施例では、発射レールがケース体の背面に配設されていたが、発射レールは発射機構板の前面に配設することもできる。かかる構成においても、排出される残球は発射レールよりも前方において落下する。このため排出された残球が発射レール上の打圧発射位置ｐに滞留して、これを余剰球貯留皿に排出するための新たな作業を必要としないものである。
【図面の簡単な説明】
【００６８】
【図１】前扉６の閉止状態におけるパチンコ機１の斜視図である。
【図２】前扉６の開放状態におけるパチンコ機１の斜視図である。
【図３】パチンコ機１の正面図である。
【図４】前扉６の正面図である。
【図５】図４中のＡ−Ａ断面図である。
【図６】前扉６の下部の背面図である。
【図７】パチンコ機１の下部を縦断して内部構造を簡略的に示す右側面図である。
【図８】発射装置１４と整流器１５を分離して示す斜視図である。
【図９】発射装置１４及び整流器１５の平面図である。
【図１０】発射装置１４及び整流器１５の右側面図であり、（ａ）は整流器１５が通常位置ｑにある状態を示し、（ｂ）は整流器１５が通常位置ｑから前方に回動した状態を示す。
【図１１】整流器１５及び球抜作動片４３の斜視図である。
【図１２】ケース体５１を縦断して整流器１５の内部を示す正面図であり、（ａ）は球送部材５８が第一位置にある状態を示し、（ｂ）は球送部材５８が第二位置にある状態を示す。
【図１３】整流器１５の作動を簡略的に示す右側断面図である。
【図１４】球抜作動片４３及び球抜口開閉片７０の斜視図である。
【図１５】ケース体５１を縦断して整流器１５の内部を示す正面図であり、（ａ）は球抜口開閉片７０が閉鎖位置αにある状態を示し、（ｂ）は球抜口開閉片７０が球抜位置βにある状態を示す。
【図１６】球抜操作部材４２と球抜作動片４３の連繋態様を示す説明図である。
【図１７】可動球止部材４４の作動を示す説明図である。
【図１８】外枠２や前扉６等を透視して、球抜作動片４３と球抜口開閉片７０の配置関係を上方から示す説明図である。
【図１９】パチンコ機１の下部を縦断して球抜機構の作動を簡略的に示す右側面図である。
【図２０】残球ｘ１の排出態様を簡略的に示す右側断面図である。
【図２１】ケース体５１を縦断して整流器１５の内部を示す正面図であり、（ａ），（ｂ）は整流器１５が通常位置ｑにある状態を示し、（ｃ）は整流器１５が通常位置ｑから前方に回動した状態を示す。
【図２２】残球排出部材２９の斜視図である。
【図２３】整流器１５及び発射装置１４を簡略的に示す平面図であり、（ａ），（ｂ）は整流器１５が通常位置ｑにある状態を示し、（ｃ）は整流器１５が通常位置ｑから前方に回動した状態を示す。
【符号の説明】
【００６９】
１  パチンコ機
５  内枠
６  前扉
９  遊技盤
１０  発射球貯留皿
１４  発射装置
１５  整流器
１７  発射鎚
２７  残球滞留部
２８  残球排出口
２９  残球排出部材
３０  排出口開閉片
３１  鉤状排出片
３２  誤開放防止端
５１  ケース体
５４  球取込口
５５  球送出口
５８  球送部材
８９  係止開口
９１  上流側隣接部
ｐ  打圧発射位置
ｑ  通常位置
ｘ  遊技球
【図１】
2007275494.tif 000003
【図２】
2007275494.tif 000004
【図３】
2007275494.tif 000005
【図４】
2007275494.tif 000006
【図５】
2007275494.tif 000007
【図６】
2007275494.tif 000008
【図７】
2007275494.tif 000009
【図８】
2007275494.tif 000010
【図９】
2007275494.tif 000011
【図１０】
2007275494.tif 000012
【図１１】
2007275494.tif 000013
【図１２】
2007275494.tif 000014
【図１３】
2007275494.tif 000015
【図１４】
2007275494.tif 000016
【図１５】
2007275494.tif 000017
【図１６】
2007275494.tif 000018
【図１７】
2007275494.tif 000019
【図１８】
2007275494.tif 000020
【図１９】
2007275494.tif 000021
【図２０】
2007275494.tif 000022
【図２１】
2007275494.tif 000023
【図２２】
2007275494.tif 000024
【図２３】
2007275494.tif 000025